(57)【要約】【課題】利用者にとって、カードを容易に取り扱うことができるカード処理装置を提供する。【解決手段】カードに記録された情報を読み取り、所定の処理を実現可能なカード処理装置であって、カードを所定の向きに投入できるカード投入口と、前記投入口から投入されたカードの向きに拘わらず、当該カードから記録情報を読み取ることができるカードリーダと、前記カードリーダから送出されてカードの取出しを可能にするカード取出し口と、を備える。【選択図】図１
2017123128.tif 000002
【特許請求の範囲】
【請求項１】
カードに記録された情報を読み取り、所定の処理を実現可能なカード処理装置であって、
カードを所定の向きに投入できるカード投入口と、
前記投入口から投入されたカードの向きに拘わらず、当該カードから記録情報を読み取ることができるカードリーダと、
前記カードリーダから送出されてカードの取出しを可能にするカード取出し口と、
を備えるカード処理装置。
【請求項２】
前記カードリーダは、当該カードリーダに対して前記カードがとり得る複数の向きの夫々において、前記カードの情報記録領域から記録情報を読み取ることができるように、情報読取モジュールを配置させている請求項１記載のカード処理装置。
【請求項３】
前記投入口から投入されたカードを前記カードリーダに搬送する搬送路を備え、
当該搬送路は、前記カードを搬送する過程で、前記カードリーダに当該カードが受け入れられるようカードの姿勢を変化させる請求項１記載のカード処理装置。
【請求項４】
前記カード投入口は、利用者が前記カードの向きに拘わらず、当該カードを投入できる形態に形成されている請求項１記載のカード処理装置。
【請求項５】
前記投入口から進入した異物を前記カードリーダに至ることなく排出させるための排出経路と、
前記排出経路を開閉するシャッタと、
を備え、
前記異物を前記排出経路に排出させる場合には、前記シャッタを開放し、前記カードを前記カードリーダに搬送する場合には、前記シャッタを閉鎖して当該カードが前記排出経路に進まないようにした請求項１記載のカード処理装置。
【請求項６】
前記カードを前記カードリーダから前記取出し口に送出する送出路と、
前記送出路の途中から前記カードを回収する回収路と、
前記カードの誘導を、前記送出路又は前記回収路を切り替える切替装置と、
を備える請求項１記載のカード処理装置。
【請求項７】
前記カードリーダは、
前記取出し口に前記カードを送出しようとする際、当該カードの一部を前記カードリーダから露出させて当該カードを保持し、利用者が当該カードを引き抜くことによって当該カードの返却を可能とし、
前記カードを、利用者への返却を要しない場合には、前記カードリーダから一部が露出されたカードを当該カードリーダ内に回収する
請求項１記載のカード処理装置。
【請求項８】
前記投入口を開閉する開閉装置を備える請求項１記載のカード処理装置。
【請求項９】
前記カードリーダは、
複数のモジュールを連結して構成され、
前記カードの向きに応じて、当該複数のモジュールの少なくとも一つで前記カードの記録情報を読み取ることができる
請求項１記載のカード処理装置。
【発明の詳細な説明】
【技術分野】
【０００１】
本発明は、カード処理装置に係り、特に、カードの取り扱いを利用者にとって容易になるようにしたカード処理装置に関する。
【背景技術】
【０００２】
従来から、この種のカード処理装置として、現金自動預け払い機（ＡＴＭ）、及び、現金自動支払い機（ＣＤ）が存在する。これらカード処理装置は、利用者によって挿入された磁気カード、ＩＣカード等のカードをカードリーダまで搬送してカード情報を読み取り、その上で、利用者が望む金融サービスを提供するものとして知られている。さらに、カード取扱装置として、非接触ＩＣカードを取扱うものもある（特開２００５―３５２７４１）。
【先行技術文献】
【特許文献】
【０００３】
【特許文献１】特開２００５−３５２７４１号公報
【発明の概要】
【発明が解決しようとする課題】
【０００４】
従来の現金自動預け払い機（ＡＴＭ）、及び、現金自動支払い機（ＣＤ）では、カードの挿入口の形態が、カードの縦横、そして、厚みよりも僅かに、例えば、１〜２ｍｍ大きい程度のサイズに制限され、利用者はカードをこの挿入口に押し込む必要があった。
【０００５】
そして、挿入口に挿入されるカードの向きは特定方向に規制され、カードが特定方向とは異なる向きに挿入されると、カード処理装置は、カードの取扱いを不可とし、挿入口からカードを利用者に返却していた。
【０００６】
以上のように、従来のカード処理装置は、利用者にとってみればカードの取扱が容易とはいえなかった。そこで、本発明は、利用者にとって、カードを容易に取り扱うことができるカード処理装置を提供することを目的とする。
【課題を解決するための手段】
【０００７】
前記目的を達成するために、本発明は、カードに記録された情報を読み取り、所定の処理を実現可能なカード処理装置であって、カードを所定の向きに投入できるカード投入口と、前記投入口から投入されたカードの向きに拘わらず、当該カードから記録情報を読み取ることができるカードリーダと、前記カードリーダから送出されてカードの取出しを可能にするカード取出し口と、を備えるというものである。
【発明の効果】
【０００８】
本発明は、利用者にとって、カードを容易に取り扱うことができるカード処理装置を提供することができる。
【図面の簡単な説明】
【０００９】
【図１】第１の実施形態に係るカード処理装置の一部縦断面図である。
【図２】図１の正面図である。
【図３】カードリーダの構造をカードリーダの側面から描いた図である。
【図４】カードリーダの構造をカードリーダの正面から描いた図である。
【図５Ａ】第１の向きにあるカードの平面図である。
【図５Ｂ】第２の向きにあるカードの平面図である。
【図５Ｃ】第３の向きにあるカードの平面図である。
【図５Ｄ】第４の向きにあるカードの平面図である。
【図６】第２の実施形態に係るカード処理装置の一部縦断面図である。
【図７】図１の正面図である。
【図８Ａ】第３の実施形態に係るカード処理装置の一部縦断面図である。
【図８Ｂ】第３の実施形態に係るカード処理装置の一部縦断面図である。
【図９Ａ】第４の実施形態に係るカード処理装置の一部縦断面図である。
【図９Ｂ】第４の実施形態に係るカード処理装置の一部縦断面図である。
【図１０】第５の実施形態に係るカード処理装置の一部縦断面図である。
【図１１Ａ】第６の実施形態に係るカード処理装置の一部縦断面図である。
【図１１Ｂ】第６の実施形態に係るカード処理装置の一部縦断面図である。
【図１２】第７の実施形態に係るカード処理装置の一部縦断面図である。
【発明を実施するための形態】
【００１０】
次に、カード処理装置の実施形態について説明する。図１は、第１の実施形態に係るカード処理装置の一部縦断面図であり、図２は図１の正面図である。図２はカード処理装置の筐体の図示を省略している。破線で示された部分は、筐体の影になって利用者から直視できないことを示している。
【００１１】
カード処理装置の筐体２の利用者側正面には、利用者がカード１の向きを気にすることなく、カード１を投入できる投入口３が設けられている。
【００１２】
カード投入口３の幅Ｗ２はカード１の長手方向寸法よりも十分に大きく、カード投入口３の高さＨ２はカード１の短手寸法よりも十分に大きく設定されている。利用者（エンドユーザ）は、カード１をカード投入口３に投入する際、カード１の表裏及び前後、即ち、カード１の向きを気にしなくてもよい。図２は、カード１をカード投入口３に対して傾斜させても、カード１をカード投入口３に投入できることを示している。
【００１３】
カード投入口３は、カード搬送路９の開始端に接続されており、カード投入口３から投入されたカード１は、カード搬送路９に沿って落下する。カード搬送路９の終端は、カードリーダ４の上方端面に接続されている。カードリーダ４は、カード１の短手方向の端面を下にして、カード１を重力方向に搬送しながら、カード１の記録情報を読み込む。
【００１４】
カード搬送路９は、重力方向から傾斜する方向に延びる傾斜領域９ａと、重力方向に延びる直下領域９ｂを備え、筐体２内に形成されている。カード投入口３から投入されたカード１は、傾斜領域９ａを経て直下領域９ｂに沿って落下してカードリーダ４に供給される。
【００１５】
図２に示すように、傾斜領域９ａは、カード投入口３から直下領域９ｂに至る過程で、経路幅Ｗ３が漸減され、傾斜領域９ａの終端において、経路幅Ｗ３は、直下領域９ｂの開始端の幅Ｗ４になる。カード１は、傾斜領域９ａから直下領域９ｂに至るまでに、カード１の短手の端面が下方になるように（カード１がカードリーダ４に進入できるように）、カード１の姿勢が変更、調整、或いは、整列される。この意味で、カード搬送路９（又は、傾斜領域９ａ）は、カード１を整列等させるカード姿勢制御部とも云い得る。
【００１６】
直下領域９ｂはカード１の幅よりも若干大きなサイズのＷ４の幅を持って直線状に延び、その終端は、カードリーダ４の上方端面のカード受入れ口４ａ（図３）に臨んでカードリーダ４に接続される。直下領域９ｂでは、カード１はその長手方向を重力方向にして落下してカードリーダの開口４ａに到達する。傾斜領域９ａから送出されたカード１は直下領域９ｂを通る間に、カード１の先端面がカード受入れ口４ａに臨むように、カード１の落下姿勢が調整される。
【００１７】
カードリーダ４の下方のカード送出口にはカード送出路１０が接続されている。カード送出路１０はカードリーダ４から重力方向に延びた後、利用者側に直角に曲がるように構成されている（図１）。カード送出路１０は、カードリーダ４から送り出されて落下したカード１を受け入れた後、これを利用者側に誘導して、利用者がカード送出路１０の終端のカード取出口１１にカード１を露出させる。利用者はカード取出口１１から難なくカード１を取り出すことができる。
【００１８】
カードリーダ４は、磁気カードの読取り又は書込み処理、そして、ＩＣカードの読取り又は書込み処理を実行する。図３及び図４にカードリーダ４の詳細を示す。図３は、カードリーダ４を側面から見たカードリーダの構造を示し、図４はカードリーダ４を正面から見たカードリーダの構造を示す。
【００１９】
カードリーダ４の搬送路９側の上部端面に、カード１の短手側端面からカード１を受け入れるカード受入れ口４ａが設けられている。さらに、カード受入れ口４ａから受け入れたカード先端の平面と背面に夫々当接して、カード１をカードリーダ４内で搬送させるための一対のカード搬送ローラ７ａが存在する。
【００２０】
内側にテーパ面４ｃを持って、カード受入れ口４ａから受け入れたカード１をカード搬送ローラ７ａに誘導する誘導部材がある。カードリーダ４のカード１の送出口４ｂの側にも、一対のカード搬送ローラ７ｂが設けられている。一対のカード搬送ローラ７ｂの近傍には、カード搬送ローラ７ｂによって送出されるカード１を送出口に誘導するためのガイド４ｄが設けられている。
【００２１】
一対のカード搬送ローラ７ａと一対のカード搬送ローラ７ｂとの間には、カード１の両面に夫々臨むように近接して、ＩＣチップに対するＩＣ接点ユニットと磁気ヘッドが設けられている。ＩＣ接点ユニットと磁気ヘッドは夫々情報リード及びライトモジュール、或いは、情報リード及びライト手段に相当する。
【００２２】
図３、４において、６ａ〜６ｄの夫々がＩＣ接点ユニットである。６ａのＩＣ接点ユニットはカード１の基端側の第１面のためのものであり、６ｃのＩＣ接点ユニットはカード１の基端側の第２面のためのものであり、６ｂのＩＣ接点ユニットはカード１の先端端側の第１面のためのものであり、６ｄのＩＣ接点ユニットはカード１の先端端側の第２面のためのものである。これらのＩＣ接点ユニットは、カード１の短手方向に沿った形態を持っている。
【００２３】
そして、カード１の基端側のＩＣ接点ユニットとカード１の先端側のＩＣ接点ユニットとの間には、カード両面に夫々望むように近接して磁気ヘッドが設けられている。
【００２４】
図３、４において、５ａ〜５ｄの夫々が磁気ヘッドである。５ａの磁気ヘッドはカード１の第２の面に臨み、そして、第１の側に設けられ、５ｂの磁気ヘッドはカード１の第1の面に臨み、そして、第１の側に設けられ、５ｃの磁気ヘッドはカード１の第２の面に臨み、そして、第２の側に設けられ、５ｄの磁気ヘッドはカード１の第１の面に臨み、そして、第２の側に設けられている。
【００２５】
図３、４において、符号８はカード１の先端に接して、カード１の落下を防ぐためのストッパであり、符号８ａはストッパ８をカード先端に対して進退させるアクチュエータである。
【００２６】
図５Ａに、カード１の平面図を示す。１ａはＩＣチップであり、１ｂはカード１の長手方向に沿って帯状に形成された磁気ストライプである。ＩＣチップ及び磁気ストライプは情報記憶モジュール、情報記憶手段、又は、情報記録領域に相当する。
【００２７】
ＩＣチップ１ａは、カード１の先端より中央付近に存在し、磁気ストライプ１ｂはカード１の背面の左側面の側に形成されている。ＩＣチップ、及び、磁気ストライプの位置はＩＳＯ規格によって規定されている。図５Ａに示す、ＩＣチップ、及び、磁気ストライプ位置は、ＩＳＯ規格の範囲内の一例である。カードリーダ４内で搬送されるカード１の向きの違いによって、即ち、カード１の前後の違い、カード１の表裏の違いによって、カード１はカードリーダ４に対して、図５Ａから図５Ｄの４つのパターンの何れかの配置をとる。
【００２８】
カードリーダ４の磁気ヘッドは、カード１の表裏、そして、カード１の左右に存在し、ＩＣ接点ユニットは、カード１の前後、そして、カード１の表裏に存在するので、カード１がどのパターンであっても、カードリーダ４は、磁気ストライプ１ｂとＩＣチップ１ａにアクセスすることができる。
【００２９】
このように、カードリーダ４は、カードの向き、あるいは姿勢等がカードリーダ４に対してどのような態様になっているかに拘わらず、カードリーダ４は複数の磁気ヘッドを順番に動作させ、そして、複数のＩＣ接点ユニットを順番に動作させることにより、いずれかの磁気ヘッド、そして、いずれかのＩＣ接点ユニットから、カード１の情報にアクセスでき、又は、カード１へ情報を記録することができる。
【００３０】
カード１はカードリーダ４内を重力方向に搬送される過程で、カード１の表裏に配置した磁気ヘッド５ａ、５ｂ、５ｃ、５ｄの何れかによって、磁気ストライプから磁気データをリードすることができる。
【００３１】
カード１がＩＣチップ１ｂを備える場合には、カードリーダ４は、磁気処理に続いて、ＩＣチップに対する情報処理を行う。即ち、磁気ストライプ１ａの終端が磁気ヘッドを越えるとカード搬送ローラ７ｂの回転を止め、一対のローラ７ａ、７ｂ間にカード１を把持する。
【００３２】
次いで、カードリーダ４は、カード搬送ローラ７ｂを逆回転させて、カード１の基端をカード搬送ローラ７ａの一対のローラ間に至った段階でカード搬送ローラ７ａ、７ｂを停止させて、カード１をカード搬送ローラ７ａ、７ｂ間で保持させる。アクチュエータ８ｂはストッパ８をカード１側に突出させて、ストッパ８をカード１の先端に当接させ、カード１の落下を防止する。
【００３３】
カード１のＩＣチップ１ｂは、カード１の向きがどのような場合でも、ＩＣ接点ユニット６ａ〜６ｄの何れかに向き合うことができ、ＩＣ接点ユニットはＩＣチップに当接して、リード及び／又はライト処理を行うことができる。
【００３４】
その後、カードリーダ４は、ストッパ８をカード１から退避させ、カード搬送ローラ７ａ、７ｂを駆動させて、カード１を送出口４ｂから送り出せばよい。
【００３５】
既述の実施形態によれば、利用者がカード１を投入口３に投入するだけで、カード１をカード処理装置に適用させることができる。このため、未成年者や高齢者等であっても、従来のカード処理装置のように、狭い開口からカード１を差し入れなければならないような困難さが解消されるため、カード１の取扱が容易になる。
【００３６】
さらに、カード処理装置は、カード１の向き、或いは、方向の違いに拘わらず、カード１に対する処理を確実に達成することができる。さらに、カード処理装置は、カード１が投入されてから、カード１がカードリーダ４に到達するまでの間に、カード１の向きをカードリーダ４がカード１の処理ができるような態様に調整することができる。さらにまた、カード処理装置にカード１を投入してカード１の姿勢を不定にできるため、スキマーの不正ヘッドで磁気データが不正取得されることを排除することができる。
【００３７】
図６、図７に、カード処理装置の第２の実施形態を示す。図６は、カード処理装置の一部従断面図、図７はその正面図を示す。既述の第１の実施形態では、カード投入口３が矩形に形成されているが、第２の実施形態では、カード投入口３が、カード１を投入できる径を持った円形又は楕円形等の環状に形成されている。カード投入口３を円形又は楕円形にすることにより、利用者はカード１の向きを一層気にすることなく、カード１をカード処理装置に投入しやすくなる。
【００３８】
図８Ａ、図８Ｂにカード処理装置の第３の実施形態を示す。図８Ａ、図８Ｂは、カード処理装置の一部従断面図を示す。カード投入口３を、利用者がカード１の向きを気にすることなく投入できるように、カード１より十分に大きなサイズに形成された結果、カード以外の異物１２が、カード投入口３からカード処理装置に入り込むおそれがある。そこで、図８Ａ、図８Ｂに示すように、カード処理装置は、カード搬送路９から異物排出経路１４を分岐させ、さらに、異物排出経路シャッタ１３を備えることとした。異物排出経路シャッタ１３は、カード搬送路９と異物排出経路１４との分岐部に対して進退することにより、異物排出経路１４を開閉する。
【００３９】
カード処理装置は、カード処理時、異物排出経路シャッタ１３を、異物排出経路１４を閉じる方向に制御して、カード１が異物排出経路１４に行かないようにしてカード１をカード搬送路(直下領域９ｂ)からカードリーダ４に供給されるようにしている。カード処理装置は、例えば、光センサによって異物１２がカード搬送路９に進入したことを検知すると、異物排出経路シャッタ１３を制御して異物排出経路１４を開放する(図８Ｂ)。
【００４０】
異物排出経路１４はカード搬送路９の傾斜領域９ａと同様な傾斜度を持って形成されているため、異物１２はカード搬送路９の傾斜領域９ａに沿って落下する際の勢いを保ったまま、異物排出経路シャッタ１３によって遮られることなく、異物排出経路１４を落下して進むことになる。異物排出経路１４は、その後重力方向に沿うように曲がり、最後は、カード処理装置の正面側に曲がる。したがって、カード処理装置の正面側の開口に異物排出経路１４を繋げれば、カード処理装置外に異物を取り出すことができる。
【００４１】
この実施形態によれば、異物によって、カード１がカードリーダ４に導入されなくなることを防止することができる。
【００４２】
図９Ａ、図９Ｂにカード処理装置の第４の実施形態を示す。図９Ａ、図９Ｂは、カード処理装置の一部断面図を示す。この実施形態では、カード送出路１０の基端がカード回収箱（カード回収路）１６に分岐され、カード処理装置は、カード送出路１０とカード回収路１６とを切り替えるフラッパ１５（経路切替装置）を備える。フラッパ１５は、回転軸１５Ａを中心に回転する。フラッパ１５は先端に向かって針状を呈し、回転軸１５Ａを中心に時計又は反時計方向に回転して、一方の通路を閉鎖する。
【００４３】
利用者がカード１をカード処理装置に適用してカード処理が終わると、フラッパ１５はカード回収箱１６を閉鎖する位置(図９Ａ)にあるため、カードリーダ４から送出されたカード１はカード送出路１０に送り出され、利用者に返却される。
【００４４】
一方、利用者が、カード１が返却される前にカード処理装置から立ち去ると、カード処理装置はこれを検知して、フラッパ１５を時計方向に回転させて、カード送出路１０をクローズする(図９Ｂ)。すると、カードリーダ４から送出されたカード１はカード送出路１０に行かずに、カード回収箱１６に収容される。
【００４５】
カードリーダ４が、カードの不正や不良を検出した場合でも、利用者にカードを返却することなく、回収するようにしてもよい。
【００４６】
この実施形態によれば、カードを自由落下させて利用者に返却するようにしても、利用者のカード取り忘れ等カードの返却を要しない場合に備えることができ、取り忘れたカード１−１を他人の手に亘ることなく安全に保管することができる。
【００４７】
次に、本発明の第５の実施形態について説明する。図１０は、カード処理装置の一部従断面図を示す。カード処理装置がカード１を返却する場合に、カード処理装置からカード１を全て送出するのではなく、カード１−２の基部付近を保持し、カード送出口４ｂからカードを突出、即ち、カードの一部をカードリーダ４から露出させるようにしてカード１−２をカードリーダに留置するようにしている。
【００４８】
カード取出口１１を大きく開口させることにより、利用者は、カードリーダ４から吊り下がっているカード１−２を視認でき、カード１−２を下方に引き抜いて取り出すことができる。
【００４９】
利用者がカード１を取り忘れた場合は、カード処理装置は、カードリーダ４内にカード１−２を返送させて回収し、カードリーダからカード１−３を取り出して保管できるようにした。
【００５０】
この実施形態によれば、カードを自由落下させて利用者に返却させないため、利用者がとり忘れたカード１−３を他人の手に亘ることなく確実に回収することができる。
【００５１】
図１１Ａ、図１１Ｂにカード処理装置の第６の実施形態を示す。図１１Ａ、図１１Ｂは、カード処理装置の一部縦断面図を示す。カード処理装置は、カード取引を休止する場合、又は、カード１が投入された後に次のカード、及び、異物が進入しないようにするため、カード投入口３を閉鎖するシャッタ１７を備える（図１１Ａ）。処理が終了して次のカードの投入待ちになる時には、シャッタ駆動機構１８によってシャッタ１７を開放する（図１１Ｂ）。
【００５２】
この実施形態によれば、カードの処理中に他のカードが投入されたり、異物の投入を防ぐことが出来る。
【００５３】
図１２にカード処理装置の第７の実施形態を示す。図１２は、カード処理装置の一部縦断面図を示す。この実施形態が既述の実施形態と異なる点は、複数のカードリーダ４Ａ〜４Ｄを連結させた（直列に連結）ことである。カードリーダ４に対するカードの姿勢には、図５Ａ〜図５Ｄに示すように、４つのパターンがある。カードリーダ４は、図３、図４に示すように、全てのパターンを包含するように、ＩＣ読取モジュール、磁気読取モジュールを配置していた。
【００５４】
この実施形態は、４つのカードリーダを連結し、一つのカードリーダが一つのパターンのカードに対応させて、ＩＣ読取モジュール、磁気読取モジュールを配置している。
【００５５】
実施形態１に係るカードリーダは、内部に４個の磁気ヘッド５、及び、４個のＩＣ接点ユニット６を備えているため、部品の実装が厳しくなって、機構が複雑になる虞があるのに対して、この実施形態では、磁気ヘッドとＩＣ接点が１つずつ搭載されたカードリーダを連結させればよいだけなので、カードリーダの全長が大きくなるものの、全体のコストやメンテナンスの点で有利である。
【００５６】
既述の実施形態に係るカード処理装置は、利用者がカードの向きを気にすることなく、カードを投入できればよく、投入口の形態は、既述のものに制限されない。そして、カードの態様（磁気ヘッド及びＩＣチップの配置の違い）は、図５Ａ〜図５Ｄのものに制限されない。
【符号の説明】
【００５７】
１  カード
２  カード処理装置の筐体
３  カード投入口
４  カードリーダ処理部
５  磁気ヘッド
６  ＩＣ接点ユニット
７  搬送ローラ
８  ストッパ
９  カード搬送路
１０  カード送出路
１１  カード取出口
１２  異物
１３  異物排出経路シャッタ
１４  異物排出経路
１５  フラッパ
１６  カード回収箱
１７  シャッタ
１８  シャッタ駆動機構
【図１】
2017123128.tif 000003
【図２】
2017123128.tif 000004
【図３】
2017123128.tif 000005
【図４】
2017123128.tif 000006
【図５Ａ】
2017123128.tif 000007
【図５Ｂ】
2017123128.tif 000008
【図５Ｃ】
2017123128.tif 000009
【図５Ｄ】
2017123128.tif 000010
【図６】
2017123128.tif 000011
【図７】
2017123128.tif 000012
【図８Ａ】
2017123128.tif 000013
【図８Ｂ】
2017123128.tif 000014
【図９Ａ】
2017123128.tif 000015
【図９Ｂ】
2017123128.tif 000016
【図１０】
2017123128.tif 000017
【図１１Ａ】
2017123128.tif 000018
【図１１Ｂ】
2017123128.tif 000019
【図１２】
2017123128.tif 000020